(57)【特許請求の範囲】
【請求項１】
壁面に跨部がビス固定されたコ字形をした取付け部材の脚部と、パネル体端縁部に形成した凹溝の溝底面に跨部がビス固定されたコ字形をした受け部材の脚部とを雄雌嵌合しビス固定することでパネル体を壁面に取付けるように構成するにあたり、取付け部材、受け部材の何れか一方の部材の脚部はパネル体凹溝の溝内側面とは第一の隙間を存する状態で設けられ、該第一の隙間に他方の部材の脚部が挿入することで取付け部材脚部と受け部材脚部とが互いに抜き差し自在に雄雌嵌合するものとし、互いに対向するパネル体端縁と壁面とのあいだには、受け部材側の脚部の先端が取付け部材側の跨部に当接するか壁面に当接する最奥位置まで雄雌嵌合したときに、互いに積層する脚部同士をビス固定することができる第二の隙間が形成されていることを特徴とするパネル体の壁面への取付け構造。
【請求項２】
受け部材側の脚部が雄嵌合し、取付け部材側の脚部が雌嵌合していることを特徴とする請求項１記載のパネル体の壁面への取付け構造。
【請求項３】
受け部材の跨部は、該受け部材の脚部が突出する位置よりも延出していてパネル体凹溝の溝内側面に当接することを特徴とする請求項２記載のパネル体の壁面への取付け構造。
【請求項４】
取付け部材の脚部内側面部と受け部材脚部外側面部とのあいだには第三の隙間が設けられ、取付け部材脚部内側面部には受け部材脚部外側面部に当接する突起が形成されていることを特徴とする請求項２または３記載のパネル体の壁面への取付け構造。
【請求項５】
パネル体はトイレブース用のパネル体であり、積層する脚部同士のビス固定はトイレブース内側からであることを特徴とする請求項１乃至４の何れか１記載のパネル体の壁面への取付け構造。
【発明の詳細な説明】
【技術分野】
【０００１】
本発明は、トイレブース用等のパネル体を壁面に取付けするためのパネル体の壁面への取付け構造の技術分野に関するものである。
【背景技術】
【０００２】
一般に、トイレブースは、パネル体で便器を囲撓すると共に出入り用の開口部を形成し、該開口部にドア体を開閉自在に建て付けるようにしているが、これらパネル体およびドア体の上端と天井面とのあいだに間隙（空隙）を設けるようにして密閉空間を作り出さないように配慮している。このようなパネル体のうち袖（端）パネル体を壁面に取付ける場合、開口部側が開口したコ字形の取付け部材をビスを介して取付け、該取付け部材に袖パネル体の端部に形成した凹部を外嵌し、取付け部材の両脚部と袖パネル体の凹部との対向面同士を接着剤で接着するようにして取付けていた。
ところが最近、高級化志向もあって、パネル体を天井面にまで至る長いものとすることが要求されることがあり、このような場合、前記袖パネル体と取付け部材とを接着するだけで取付たものでは、袖パネル体が長大になるが故に重量増となり、前記接着による取付けだけでは強度不足になって袖パネル体が取付け部材から外れてしまうという不具合が想定される。
そこで壁面にコ字形の取付け部材を取付ける一方、袖パネル体側に形成の凹部に内嵌した溝型部材を取付け部材に内嵌してパネル体の表面板、取付け部材の脚片、溝型部材の脚片を積層状にし、表面板の外側から螺入したビスにより一体化したもの（特許文献１参照）や、台座部がビスにより壁面に固定された転倒防止具から突設した係止爪材を、パネル体に形成した凹部に内嵌した受け具に形成の係止受け部に係止することで一体化するようにしたもの（特許文献２参照）がある。
【先行技術文献】
【特許文献】
【０００３】
【特許文献１】特公平６−３９８１５号公報
【特許文献２】特開２００３−２３９４３０号公報
【発明の概要】
【発明が解決しようとする課題】
【０００４】
しかしながら、壁面は、仕上がりが必ずしも鉛直（垂直）になっているという保証はなく、傾斜していたり、凹凸があるような場合があり、このような場合に前記従来例の構成のものを用いて袖パネル体を壁面に取付けようとしたときに、特許文献１のものではビス孔が位置ずれして取付けられないことがあり、またビス頭がパネル体の表面に露出して外観性が損なわれる等の問題がある。
一方、引用文献２のものでは、壁面が傾斜していたりした場合に係止爪材と係止受け部との係止がうまくいかず、確実な連結ができない等の問題があり、ここに本発明の解決すべき課題がある。
【課題を解決するための手段】
【０００５】
本発明は、上記の如き実情に鑑みこれらの課題を解決することを目的として創作されたものであって、請求項１の発明は、壁面に跨部がビス固定されたコ字形をした取付け部材の脚部と、パネル体端縁部に形成した凹溝の溝底面に跨部がビス固定されたコ字形をした受け部材の脚部とを雄雌嵌合しビス固定することでパネル体を壁面に取付けるように構成するにあたり、取付け部材、受け部材の何れか一方の部材の脚部はパネル体凹溝の溝内側面とは第一の隙間を存する状態で設けられ、該第一の隙間に他方の部材の脚部が挿入することで取付け部材脚部と受け部材脚部とが互いに抜き差し自在に雄雌嵌合するものとし、互いに対向するパネル体端縁と壁面とのあいだには、受け部材側の脚部の先端が取付け部材側の跨部に当接するか壁面に当接する最奥位置まで雄雌嵌合したときに、互いに積層する脚部同士をビス固定することができる第二の隙間が形成されていることを特徴とするパネル体の壁面への取付け構造である。
請求項２の発明は、受け部材側の脚部が雄嵌合し、取付け部材側の脚部が雌嵌合していることを特徴とする請求項１記載のパネル体の壁面への取付け構造である。
請求項３の発明は、受け部材の跨部は、該受け部材の脚部が突出する位置よりも延出していてパネル体凹溝の溝内側面に当接することを特徴とする請求項２記載のパネル体の壁面への取付け構造である。
請求項４の発明は、取付け部材の脚部内側面部と受け部材脚部外側面部とのあいだには第三の隙間が設けられ、取付け部材脚部内側面部には受け部材脚部外側面部に当接する突起が形成されていることを特徴とする請求項２または３記載のパネル体の壁面への取付け構造である。
請求項５の発明は、パネル体はトイレブース用のパネル体であり、積層する脚部同士のビス固定はトイレブース内側からであることを特徴とする請求項１乃至４の何れか１記載のパネル体の壁面への取付け構造である。
【発明の効果】
【０００６】
請求項１の発明とすることにより、壁面側にビス固定される取付け部材の脚部とパネル体側にビス固定される受け部材の脚部とが雄雌嵌合した状態でビス固定して確りとした連結ができるものでありながら、脚部同士の雄雌嵌合が抜き差し自在となっていると共に、パネル体と壁面とのあいだに、最奥位置まで雄雌嵌合したときに、互いに積層する脚部同士をビス固定することができる第二の隙間が設けられている結果、壁面の施工が傾斜状になっていたとしても、両部材の脚部同士のビス固定が確実にできると共に、パネル体表面よりも奥まった第二の隙間でのビス固定となるため、外観性を損なうことを低減できることになる。
請求項２の発明とすることにより、第二の隙間からは取付け部材側の脚部しか露出しないため、外観性が向上する。
請求項３の発明とすることにより、受け部材をパネル体凹溝に取付ける際の該受け部材の溝幅方向の位置決めが確実になる。
請求項４の発明とすることにより、脚部同士の雄雌嵌合作業が容易になって組付け性が向上する。
請求項５の発明とすることにより、脚部同士を固定するためのビスが目につきずらいトイレブース内側にあるため外観性が向上する。
【図面の簡単な説明】
【０００７】
【図１】トイレブースの正面図である。
【図２】トイレブースの平面図である。
【図３】トイレブースの要部の平面断面図である。
【図４】トイレブースの要部の縦断面図である。
【図５】（Ａ）（Ｂ）はパネル体の壁面への取付け部位を示す拡大平面断面図である。
【図６】（Ａ）（Ｂ）はパネル体の壁面への取付け手順を示す分解拡大平面断面図である。
【図７】（Ａ）（Ｂ）は第二の実施の形態のパネル体の壁面への取付け部位を示す拡大平面断面図である。
【発明を実施するための形態】
【０００８】
以下、本発明の実施の形態について、図面に基づいて説明する。図面において、１はトイレブース用のパネル体であって、該パネル体１は、便器（図示せず）を囲撓すると共に、出入口となる開口部を形成するものであり、該開口部にはドア体２が開閉自在に設けられている。そしてパネル体１は、上端縁が天井面Ｃにまで至る長大なものになっている一方、ドア体２は、天井面Ｃとのあいだに間隙を有するオープン仕様となってトイレが密閉空間にならないように配慮されている。尚、上記天井面Ｃとドア体２上端縁とのあいだの間隙にガラス板等のパネル板（欄間板）を組込んで閉鎖する欄間仕様とすることもできる。この場合に、パネル板を通気性のあるものとすることも必要においてできることは言うまでもない。また、本発明は、図４に示す如く、天井面Ｃにパネル体を取付ける場合にも実施することができる。
【０００９】
前記パネル体１のうち左右端縁のうちの一側縁が壁面Ｗに取付けられるパネル体（袖パネル体）１の壁面Ｗに対向する端縁部は、壁面Ｗにビス３ａを介して跨部３ｂが取付け固定されたコ字形の取付け部材３を用いて取付けられるが、該取付け部材３は、両脚部３ｃがパネル体１側に向けて突出していて、パネル体１の端縁部に形成の凹溝１ａの溝側面に摺動する状態で出入り自在に内嵌するようになっている。
【００１０】
前記取付け部材両脚部３ｃには、互いに対向する内側面部３ｄの先端部に突起（第一突起）３ｅが設けられ、さらに該突起３ｅよりも跨部３ｂ側に位置して突起（第二突起）３ｆが設けられている。また両脚部３ｃの外側面部３ｇの先端部は、先端側ほど内側面部３ｄ側になるようテーパー状に切欠かれた切欠き面３ｈとなっていて凹溝１ａに内嵌しやすいように配慮されている。
【００１１】
一方、パネル体１の前記凹溝１ａには、略コ字形をした受け部材４が内嵌組込みされているが、該受け部材４は、跨部４ａがビス４ｂを介して凹溝１ａの溝底面１ｅに固定されている。この跨部４ａは、幅が凹溝１ａの溝幅と同じ寸法設定（実際には、嵌入しやすいよう溝幅よりも僅かに幅狭になるよう設定されている。）になっており、これによって受け部材４は、跨部４ａの両端縁が凹溝１ａの溝内側面１ｂに当接する状態で嵌入組込みされることになって、溝幅方向に位置決めされた状態での組込みできるように設定されている。
【００１２】
受け部材４には、壁面Ｗ側に向けて一対の脚部４ｃがパネル体１の壁面側端縁１ｃから突出する状態で突設されるが、該脚部４ｃは、跨部４ａの端位置よりも内側に偏倚しており、これによって受け部材脚部４ｃの外側面部４ｄとパネル体凹溝１ａの溝内側面１ｂとあいだに隙間（本発明の「第一の隙間」に相当する。）Ｘができるようになっており、この隙間Ｘに取付け部材脚部３ｃが挿入組込みするようになっている。
そしてこの挿入組込みした状態では、受け部材脚部４ｃの外側面部４ｄが取付け部材３に設けた突起３ｅ、３ｆの内側端に当接するよう突設されており、これによって受け部材４の外側面部４ｄと取付け部材３の内側面部３ｄとのあいだに隙間（本発明の「第三の隙間」に相当する。）Ｙができるようになっている。さらに受け部材脚部４ｃの先端部４ｅは互いに対向する側（内側）に湾曲していて取付け部材脚部３ｃに内嵌しやすいようになっている。
【００１３】
そして、壁面Ｗにビス３ａを介して固定した取付け部材３の脚部３ｃを、ビス４ｂを介してパネル体凹溝１ａに固定した受け部材４の脚部４ｃとパネル体凹溝１ａの溝内側面１ｂとあいだの隙間Ｘに挿入組込みすることで、受け部材脚部４ｃが取付け部材脚部３ｃに内嵌することになるが、受け部材脚部４ｃが取付け部材跨部３ｂに当接する最奥位置まで内嵌した状態で、図５（Ａ）に示すように、パネル体１の壁面Ｗ側の端縁１ｃは壁面Ｗとは隙間（この場合の隙間幅が最小限であって、本発明の「第二の隙間」に相当する。）Ｚだけ離間する寸法設定となっており、この隙間Ｚ部位において積層する脚部３ｃ、４ｃ同士をビス１ｄを介して固定でき、これによってパネル体１を壁面Ｗに取付け固定できるようになっている。そして図５（Ｂ）に示すように、壁面Ｗが傾斜する等して受け部材脚部４ｃが取付け部材跨部３ｂから離間して、パネル体端縁１ｃと壁面Ｗとのあいだの隙間Ｚが大きくなった場合、大きくなった分、壁面Ｗから離間させた位置（パネル体端縁１ｃからは等位置）でビス１ｄを用いて固定することになる。
【００１４】
叙述の如く構成された本実施の形態において、パネル体１は、壁面Ｗにビス３ａで固定された取付け部材３の脚部３ｃとパネル体凹溝１ａにビス４ｂで固定された受け部材４の脚部４ｃとをビス１ｄを介して固定されることになって強固な取付け固定ができることになるが、この場合に、ビス１ｄで固定する前の脚部３ｃ、４ｃ同士は抜き差し自在な雄雌嵌合であるため、壁面Ｗが傾斜していたとして、これに対応した雄雌嵌合ができ、そしてパネル体１と壁面Ｗとのあいだに形成される第二隙間Ｚ位置において、互いに積層する脚部３ｃ、４ｃをビス１ｄを介して取付け固定することになるため、パネル体１の表面からビス１ｄが露出することがなく、奥まっていて目立つことが少ない第二隙間Ｚにおいてのビス固定となり、パネル体１部位をビス固定する場合に比して外観を損なうことが少ない。
【００１５】
またこのものでは、壁面Ｗ側に固定される取付け部材３の脚部３ｃが外側になって、パネル体１側に固定される受け部材４の脚部４ｃとパネル体凹溝１ａの溝内側面１ｂとのあいだに形成される第一の隙間Ｘに挿入することになるため、壁面Ｗとパネル体１とのあいだの第二隙間Ｚからは、取付け部材３の脚部３ｃしか見えないことになり、後述する第二の実施の形態の場合のように、受け部材４の脚部４ｃの端縁が線状に見えてしまうことがなく、外観性が向上する。
【００１６】
さらに受け部材４の跨部４ａは、脚部４ｃの突出位置よりも溝幅方向に突出していて、凹溝１ａの溝内側面１ｂに当接しているため、受け部材４を凹溝１ａに挿入した場合の溝幅方向の位置決めができることになり、組込み精度が向上すると共に、組み込み作業も容易となる。
【００１７】
また取付け部材３の脚部内側面部３ｄと受け部材４の脚部外面部４ｄとのあいだには第三の隙間Ｙが設けられ、取付け部材脚部内側面３ｄには受け部材脚部外側面部４ｄに当接する突起３ｅ、３ｆが形成されているため、脚部３ｃ、４ｃ同士を雄雌嵌合する際の摺動抵抗が低減することになって作業性が向上する。
【００１８】
しかもこのものでは、脚部３ｃ、４ｃ同士を固定するためのビス１ｄがトイレブースのブース室内側であるため、ビス１ｄが目立たないところにあり、外観性を損なうことが少ない。
【００１９】
尚、本発明は前記実施の形態に限定されるものでないことは勿論であり、図７に示す第二の実施の形態のようにすることもできる。このものは、脚部３ｃ、４ｃの雄雌嵌合の関係が前記実施の形態のものとは逆になったもの、つまり取付け部材３側の脚部３ｃが雄嵌合をし、受け部材４側の脚部４ｃが雌嵌合をするものである。
【産業上の利用可能性】
【００２０】
本発明は、トイレブース等に用いられるパネル体の壁面への取付け構造に利用することができる。
【符号の説明】
【００２１】
１  パネル体
１ａ  凹溝
１ｂ  溝内側面
１ｃ  壁面側端縁
１ｄ  ビス
１ｅ  溝底面
３  取付け部材
３ａ  ビス
３ｂ  跨部
３ｃ  脚部
３ｄ  内側面部
３ｅ、３ｆ  突起
４  受け部材
４ａ  跨部
４ｂ  ビス
４ｃ  脚部
４ｄ  外側面部
４ｅ  先端部
Ｗ  壁面
Ｘ  第一の隙間
Ｙ  第三の隙間
Ｚ  第二の隙間
【図１】
0006293631.tif 000002
【図２】
0006293631.tif 000003
【図３】
0006293631.tif 000004
【図４】
0006293631.tif 000005
【図５】
0006293631.tif 000006
【図６】
0006293631.tif 000007
【図７】
0006293631.tif 000008